(57)【要約】本発明は、ブロードキャスト／マルチキャストサービスを提供するための周波数割当モード及び比率を指定する方法及びシステムに関するものである。１ｘＥＶ−ＤＯシステムを通じて１ｘＥＶ−ＤＯサービスやＢＣＭＣＳの提供を受ける１つ以上の接続端末機と、ＦＡモード及び／またはＢＣＭＣＳ割当比率を含むＢＣＭＣＳ制御情報を受信して、受信したＢＣＭＣＳ制御情報を１ｘＥＶ−ＤＯ制御器に伝送する基地局運用装置と、ＢＣＭＣＳ制御情報を受信して一時的に格納し、かつ、ＢＣＭＣＳ制御情報に含まれたＦＡモード及び／またはＢＣＭＣＳ割当比率によって各々の接続端末機に伝送するメッセージの種類及び／または比率を制御する１ｘＥＶ−ＤＯ制御器及び１ｘＥＶ−ＤＯ伝送器を含んで構成されるアクセス網と、を含むことを特徴とするＢＣＭＣＳを提供するためにＦＡモード及び／またはＢＣＭＣ割当比率を指定するシステムを提供する。本発明によれば、新たな周波数資源を増設しなくても１ｘＥＶ−ＤＯシステムでＢＣＭＣＳを效率よく提供することができる。
2007511129.tif 000002
【特許請求の範囲】
【請求項１】
１ｘＥＶ−ＤＯシステムにおいてブロードキャスト／マルチキャストサービス（ＢＣＭＣＳ：Broadcast／Multicast Service）を提供するために、周波数割当（ＦＡ：Frequency Assignment）モードまたはＢＣＭＣＳ割当比率の少なくともいずれか一方を指定する通信システムであって：
１ｘＥＶ−ＤＯシステムを通じて１ｘＥＶ−ＤＯサービスまたはＢＣＭＣＳの提供を受ける１つ以上の接続端末機（ＡＴ：Access Terminal）と；
前記ＦＡモードまたは前記ＢＣＭＣＳ割当比率の少なくともいずれか一方を含むＢＣＭＣＳ制御情報を受信し、受信した前記ＢＣＭＣＳ制御情報を１ｘＥＶ−ＤＯ制御器（ＡＮＣ：Access Network Controller）に伝送する基地局運用装置（ＢＳＭ：Base Station Manager）と；
前記ＢＣＭＣＳ制御情報を受信して一時的に格納し、前記ＢＣＭＣＳ制御情報に含まれた前記ＦＡモードまたは前記ＢＣＭＣＳ割当比率の少なくともいずれか一方に基づいて、それぞれの前記接続端末機に伝送するメッセージの種類または比率の少なくともいずれか一方を制御する前記１ｘＥＶ−ＤＯ制御器、及び１ｘＥＶ−ＤＯ伝送器（ＡＮＴＳ：Access Network Transceiver Subsystem）を含むアクセス網（ＡＮ：Access Network）と；
を含むことを特徴とする、通信システム。
【請求項２】
前記ＦＡモードの指定は、前記１ｘＥＶ−ＤＯシステムにおけるそれぞれのアクセス網領域別の、前記１ｘＥＶ−ＤＯサービスのために利用される１ｘＥＶ−ＤＯ  ＦＡの中から、前記ＢＣＭＣＳのために特定の１ｘＥＶ−ＤＯ  ＦＡを指定する作業であることを特徴とする、請求項１に記載の通信システム。
【請求項３】
前記ＦＡモードは、前記ＢＣＭＣＳのために前記特定の１ｘＥＶ−ＤＯ  ＦＡを利用するＢＣＭＣＳ専用モードと、前記ＢＣＭＣＳと前記１ｘＥＶ−ＤＯサービスとを共に提供するために、前記特定の１ｘＥＶ−ＤＯ  ＦＡを利用するＢＣＭＣＳ混用モードを含むことを特徴とする、請求項２に記載の通信システム。
【請求項４】
前記ＢＣＭＣＳ割当比率は、前記ＦＡモードが前記ＢＣＭＣＳ混用モードである場合に入力されることを特徴とする、請求項１または３のいずれかに記載の通信システム。
【請求項５】
前記ＦＡモードまたは前記ＢＣＭＣＳ割当比率の少なくともいずれか一方は、前記１ｘＥＶ−ＤＯシステムにおける前記ＢＣＭＣＳのためのシステムパラメータメッセージに含まれて伝送されることを特徴とする、請求項１に記載の通信システム。
【請求項６】
前記基地局運用装置には、前記ＢＣＭＣＳ制御情報を入力し、入力された前記ＢＣＭＣＳ制御情報が正しい情報か否かを判断し、前記ＢＣＭＣＳ制御情報を前記システムパラメータメッセージに挿入し、前記システムパラメータメッセージを前記アクセス網に伝送する機能を実行するＢＣＭＣＳ制御用プログラムが格納されていることを特徴とする、請求項１または５のいずれかに記載の通信システム。
【請求項７】
前記アクセス網は、基地局制御器（ＢＳＣ：Base Station Controller）及び基地局伝送器（ＢＴＳ：Base Transceiver Subsystem）を含むことを特徴とする、請求項１に記載の通信システム。
【請求項８】
前記１ｘＥＶ−ＤＯシステムは、前記１ｘＥＶ−ＤＯ制御器に接続され、前記１ｘＥＶ−ＤＯサービスまたは前記ＢＣＭＣＳの少なくともいずれか一方に関するパケットデータを送受信するルーティング機能を実行するＧＡＮ（General ATM Switch Network）をさらに含むことを特徴とする、請求項１に記載の通信システム。
【請求項９】
前記１ｘＥＶ−ＤＯシステムは、前記ＧＡＮと接続され、前記ＧＡＮを通して前記接続端末機のそれぞれに前記パケットデータを伝送する機能を実行するパケットデータサービングノード（ＰＤＳＮ：Packet Data Serving Node）をさらに含むことを特徴とする、請求項１または８のいずれかに記載の通信システム。
【請求項１０】
前記１ｘＥＶ−ＤＯシステムは、前記ＧＡＮ及び前記パケットデータサービングノードと接続され、認証された前記接続端末機がパケットデータサービスを要求する場合に加入者認証を実行し、前記パケットデータサービングノードを通じて前記パケットデータを伝送するために暗号化キーを用いて前記パケットデータを暗号化し、課金データを収集する認証サーバ（ＡＡＡ：Authorization Authentication Accounting）をさらに含むことを特徴とする、請求項１または９に記載の通信システム。
【請求項１１】
前記１ｘＥＶ−ＤＯシステムは、前記ＧＡＮを通してＴＣＰ／ＩＰ（Transmission Control Protocol／Internet Protocol）により前記１ｘＥＶ−ＤＯ制御器と接続されて前記接続端末機のそれぞれの位置情報及び呼出領域を管理し、前記接続端末機のそれぞれの移動性を支援し、セッションを制御するデータ位置登録器をさらに含むことを特徴とする、請求項１または８に記載の通信システム。
【請求項１２】
前記１ｘＥＶ−ＤＯシステムは、前記接続端末機のそれぞれのセッション情報を提供及び管理し、前記認証サーバから加入者プロファイル情報を受信し、前記接続端末機のそれぞれにサービス権限を与えるＢＣＭＣＳ制御器をさらに含むことを特徴とする、請求項１０に記載の通信システム。
【請求項１３】
前記１ｘＥＶ−ＤＯシステムは、１つ以上のＢＣＭＣＳコンテンツ提供元から１つ以上のＢＣＭＣＳコンテンツを受信し、受信した前記ＢＣＭＣＳコンテンツをそれぞれ暗号化して格納するＢＣＭＣＳコンテンツサーバをさらに含むことを特徴とする、請求項１２に記載の通信システム。
【請求項１４】
前記ＢＣＭＣＳコンテンツサーバは、１つ以上の暗号化されたＢＣＭＣＳコンテンツをＩＰ基盤マルチキャストストリームに変換し、マルチキャスト伝送技術を用いて前記ＩＰ基盤マルチキャストストリームを前記パケットデータサービングノードに伝送することを特徴とする、請求項１３に記載の通信システム。
【請求項１５】
前記１ｘＥＶ−ＤＯシステムは、ベアラサービスを用いて前記ＢＣＭＣＳコンテンツを前記ＢＣＭＣＳコンテンツサーバに伝送する１つ以上のＢＣＭＣＳコンテンツ提供サーバをさらに含むことを特徴とする、請求項１３に記載の通信システム。
【請求項１６】
１つ以上の接続端末機（ＡＴ）と、アクセス網（ＡＮ）と、基地局運用装置（ＢＳＭ）とを含み、前記アクセス網（ＡＮ）は、前記接続端末機のそれぞれに１ｘＥＶ−ＤＯサービスまたはＢＣＭＣＳ（Broadcast／Multicast Service）サービスの少なくともいずれか一方を提供するためにパケットデータ及び各種メッセージを伝送する１ｘＥＶ−ＤＯ伝送器（ＡＮＴＳ）と、１ｘＥＶ−ＤＯ制御器（ＡＮＣ）とを含んで構成される１ｘＥＶ−ＤＯシステムにおいて、ＦＡ（Frequency
Assignment）モードまたはＢＣＭＣＳ割当比率の少なくともいずれか一方を指定する方法であって：
（ａ）ＦＡモード情報またはＢＣＭＣＳ割当比率情報の少なくともいずれか一方を含むＢＣＭＣＳ制御情報を入力し、前記情報が正常な入力情報なのかを判断するステップと；
（ｂ）タイマーを駆動すると共に、前記ＢＣＭＣＳ制御情報を前記アクセス網に伝送するステップと；
（ｃ）所定のチェック時間が終了されたか否かを判定し、前記アクセス網から応答信号が受信されるか否かをチェックするステップと；
（ｄ）前記チェック時間内に前記応答信号が受信されない場合、エラーメッセージまたは前記ＢＣＭＣＳ制御情報の再入力画面の少なくともいずれか一方を出力するステップと；
を含むことを特徴とする、ＦＡモード及び／またはＢＣＭＣＳ割当比率の指定方法。
【請求項１７】
前記ステップ（ａ）において、前記ＦＡモード情報は、ＢＣＭＣＳ専用モードとＢＣＭＣＳ混用モードのうちの１つであることを特徴とする、請求項１６に記載のＦＡモード及び／またはＢＣＭＣＳ割当比率の指定方法。
【請求項１８】
前記ＢＣＭＣＳ混用モードが入力される場合には、前記ＢＣＭＣＳ割当比率情報も入力されることを特徴とする、請求項１７に記載のＦＡモード及び／またはＢＣＭＣＳ割当比率を指定する方法。
【請求項１９】
前記ステップ（ａ）において、入力された前記ＢＣＭＣＳ制御情報が正常な入力情報でないときは、前記基地局運用装置は、エラーメッセージまたは前記ＢＣＭＣＳ制御情報の再入力画面の少なくともいずれか一方を出力することを特徴とする、請求項１６に記載のＦＡモード及び／またはＢＣＭＣＳ割当比率を指定する方法。
【請求項２０】
前記ステップ（ｂ）において、前記ＢＣＭＣＳ制御情報は、前記ＢＣＭＣＳのためのシステムパラメータメッセージに含まれて伝送されることを特徴とする、請求項１６に記載のＦＡモード及び／またはＢＣＭＣＳ割当比率を指定する方法。
【請求項２１】
前記ステップ（ｃ）において、前記チェック時間は、前記基地局運用装置が前記タイマーの作動時点から、前記アクセス網から前記応答信号が受信されるか否かをチェックする動作を中断する時点までの時間であることを特徴とする、請求項１６に記載のＦＡモード及び／またはＢＣＭＣＳ割当比率を指定する方法。
【請求項２２】
前記基地局運用装置は、前記ステップ（ｂ）で前記タイマーを作動させるのと同時にカウントを開始し、前記既に設定されたチェック時間が終了される度にカウント回数を一回増加させ、前記タイマーをリセットすることを特徴とする、請求項１６に記載のＦＡモード及び／またはＢＣＭＣＳ割当比率を指定する方法。
【請求項２３】
前記基地局運用装置は、既に設定されたカウント回数だけ前記アクセス網から前記応答信号が受信されるか否かをチェックする動作を繰り返し、かつ、前記既に設定されたカウント回数に到達する時間間、前記応答信号を受信されなければ、エラーメッセージまたは前記ＢＣＭＣＳ制御情報の再入力画面の少なくともいずれか一方を出力することを特徴とする、請求項２２に記載のＦＡモード及び／またはＢＣＭＣＳ割当比率を指定する方法。
【請求項２４】
前記ステップ（ｄ）において、前記基地局運用装置が前記応答信号を受信すれば、前記ＢＣＭＣＳ制御情報の受信に成功したことを前記アクセス網に対して通知する成功メッセージを出力することを特徴とする、請求項１６に記載のＦＡモード及び／またはＢＣＭＣＳ割当比率を指定する方法。
【請求項２５】
１つ以上の接続端末機（ＡＴ）と、アクセス網（ＡＮ）と、基地局運用装置（ＢＳＭ）とを含み、前記アクセス網は、それぞれの前記接続端末機に１ｘＥＶ−ＤＯサービスまたはＢＣＭＣＳ（Broadcast／Multicast Service）の少なくともいずれか一方を提供するためにパケットデータ及び各種メッセージを伝送する１ｘＥＶ−ＤＯ伝送器（ＡＮＴＳ）及び１ｘＥＶ−ＤＯ制御器（ＡＮＣ）を含んで構成される１ｘＥＶ−ＤＯシステムにおいて、設定されたＢＣＭＣＳ専用モードによるメッセージ制御方法であって：
（ａ）前記アクセス網から伝送されるオーバーヘッドメッセージを受信するステップと；
（ｂ）前記オーバーヘッドメッセージに含まれるＣＤＭＡチャンネルリストを確認し、ＦＡ（Frequency Assignment）を選定して前記ＦＡに同調するステップと；
（ｃ）前記ＢＣＭＣＳが要求された場合、前記接続端末機が同調しているＦＡがＢＣＭＣＳ  ＦＡか否かを判断するステップと；
（ｄ）前記接続端末機が前記ＢＣＭＣＳ  ＦＡに同調しない状態である場合には、前記ＢＣＭＣＳ  ＦＡに遷移し、前記ＢＣＭＣＳの提供を受けるステップと；
を含むことを特徴とする、メッセージ制御方法。
【請求項２６】
前記１ｘＥＶ−ＤＯ制御器及び前記１ｘＥＶ−ＤＯ伝送器は、前記基地局運用装置からＢＣＭＣＳ専用モードに関する情報を予め受信し、格納することを特徴とする、請求項２５に記載のメッセージ制御方法。
【請求項２７】
前記ステップ（ａ）において、前記オーバーヘッドメッセージには、クイック設定メッセージ、セクタパラメータメッセージ、システムパラメータメッセージ、隣接リストメッセージ及びアクセスパラメタメッセージのうち、１つ以上のメッセージが含まれていることを特徴とする、請求項２５に記載のメッセージ制御方法。
【請求項２８】
前記セクタパラメータメッセージは、前記ＣＤＭＡチャンネルリストに関する情報を含むことを特徴とする、請求項２５または２７に記載のメッセージ制御方法。
【請求項２９】
前記ステップ（ｂ）において、前記ＣＤＭＡチャンネルリストは、２つ以上のＣＤＭＡ周波数（ＦＡ）に関する情報を含むことを特徴とする、請求項２５に記載のメッセージ制御方法。
【請求項３０】
前記ステップ（ｃ）において、前記接続端末機は、前記１ｘＥＶ−ＤＯサービスが要求された場合、１ｘＥＶ−ＤＯサービス要求信号を生成して前記１ｘＥＶ−ＤＯ伝送器及び前記１ｘＥＶ−ＤＯ制御器に伝送することを特徴とする、請求項２５に記載のメッセージ制御方法。
【請求項３１】
前記１ｘＥＶ−ＤＯサービス要求信号を受信する前記１ｘＥＶ−ＤＯ制御器は、前記接続端末機が１ｘＥＶ−ＤＯ  ＦＡに同調しているか、ＢＣＭＣＳ  ＦＡに同調しているかを判断することを特徴とする、請求項３０に記載のメッセージ制御方法。
【請求項３２】
前記１ｘＥＶ−ＤＯ制御器は、前記接続端末機が前記ＢＣＭＣＳ  ＦＡに同調していると判断したときは、リディレクションメッセージまたはトラフィックチャンネル割当メッセージを生成して前記接続端末機に伝送することを特徴とする、請求項３１に記載のメッセージ制御方法。
【請求項３３】
前記リディレクションメッセージまたは前記トラフィックチャンネル割当メッセージを受信した前記接続端末機は、前記リディレクションメッセージまたは前記トラフィックチャンネル割当メッセージに含まれた１ｘＥＶ−ＤＯ  ＦＡに遷移して１ｘＥＶ−ＤＯサービスの提供を受けることを特徴とする、請求項３２に記載のメッセージ制御方法。
【請求項３４】
前記ステップ（ｃ）において、前記接続端末機は、前記ＢＣＭＣＳが要求された場合、自身が１ｘＥＶ−ＤＯ  ＦＡに同調しているか、ＢＣＭＣＳ  ＦＡに同調しているかを判断し、かつ、前記１ｘＥＶ−ＤＯ  ＦＡに同調している状態であれば、前記ＢＣＭＣＳ  ＦＡに遷移する動作を実行することを特徴とする、請求項２５に記載のメッセージ制御方法。
【請求項３５】
前記接続端末機には、前記ＢＣＭＣＳ  ＦＡに関する情報が格納されており、前記接続端末機は、格納された前記ＢＣＭＣＳ  ＦＡに関する情報を検索して確認するために周波数を変更しながら、前記ＢＣＭＣＳ  ＦＡへの遷移動作を実行することを特徴とする、請求項３４に記載のメッセージ制御方法。
【請求項３６】
１つ以上の接続端末機（ＡＴ）と、アクセス網（ＡＮ）と、基地局運用装置（ＢＳＭ）とを含み、前記アクセス網は、それぞれの前記接続端末機に１ｘＥＶ−ＤＯサービスまたはＢＣＭＣＳ（Broadcast／Multicast Service）の少なくともいずれか一方を提供するためにパケットデータ及び各種メッセージを伝送する１ｘＥＶ−ＤＯ伝送器（ＡＮＴＳ）及び１ｘＥＶ−ＤＯ制御器（ＡＮＣ）を含んで構成される１ｘＥＶ−ＤＯシステムにおいて、設定されるＢＣＭＣＳ専用モードによるメッセージ制御方法であって：
（ａ）前記アクセス網から伝送されるオーバーヘッドメッセージを受信するステップと；
（ｂ）前記オーバーヘッドメッセージに含まれたＣＤＭＡチャンネルリストを確認し、ＦＡ（Frequency Assignment）を選択して前記ＦＡに同調するステップと；
（ｃ）前記ＢＣＭＣＳが要求された場合、格納しているＢＣＭＣＳ  ＦＡをチェックするステップと；
（ｄ）チェックした前記ＢＣＭＣＳ  ＦＡに遷移し、前記ＢＣＭＣＳの提供を受けるステップと；
を含むことを特徴とする、メッセージ制御方法。
【請求項３７】
前記１ｘＥＶ−ＤＯ制御器及び前記１ｘＥＶ−ＤＯ伝送器は、前記基地局運用装置からＢＣＭＣＳ専用モード情報を予め受信して格納していることを特徴とする、請求項３６に記載のメッセージ制御方法。
【請求項３８】
前記ステップ（ｂ）において、前記ＣＤＭＡチャンネルリストは、前記オーバーヘッドメッセージのうち、セクタパラメータメッセージに記録されていることを特徴とする、請求項３６に記載のメッセージ制御方法。
【請求項３９】
前記ＣＤＭＡチャンネルリストは、１つ以上の１ｘＥＶ−ＤＯ  ＦＡに関する情報を記録しており、それぞれの前記接続端末機は、特定の１ｘＥＶ−ＤＯ  ＦＡに同調することを特徴とする、請求項３８に記載のメッセージ制御方法。
【請求項４０】
前記ステップ（ｃ）において、前記１ｘＥＶ−ＤＯサービスが要求されたとき、前記接続端末機は、１ｘＥＶ−ＤＯサービス要求信号を生成して前記１ｘＥＶ−ＤＯ伝送器及び前記１ｘＥＶ−ＤＯ制御器に伝送することを特徴とする、請求項３６に記載のメッセージ制御方法。
【請求項４１】
前記１ｘＥＶ−ＤＯサービス要求信号を受信した前記１ｘＥＶ−ＤＯ制御器は、リディレクションメッセージまたはトラフィックチャンネル割当メッセージを生成して前記接続端末機に伝送することを特徴とする、請求項４０に記載のメッセージ制御方法。
【請求項４２】
１つ以上の接続端末機（ＡＴ）と、アクセス網（ＡＮ）と、基地局運用装置（ＢＳＭ）とを含み、前記アクセス網は、それぞれの前記接続端末機に１ｘＥＶ−ＤＯサービスまたはＢＣＭＣＳ（Broadcast／Multicast Service）の少なくともいずれか一方を提供するためにパケットデータ及び各種メッセージを伝送する１ｘＥＶ−ＤＯ伝送器（ＡＮＴＳ）及び１ｘＥＶ−ＤＯ制御器（ＡＮＣ）を含んで構成される１ｘＥＶ−ＤＯシステムにおいて、設定されるＢＣＭＣＳ混用モードによるメッセージ制御方法であって、
（ａ）前記１ｘＥＶ−ＤＯ制御器は、前記基地局運用装置からＢＣＭＣＳ混用モード情報及びＢＣＭＣＳ割当比率情報を受信して格納するステップと、
（ｂ）前記ＢＣＭＣＳ割当比率情報によって前記メッセージの種類または比率の少なくともいずれか一方を制御してそれぞれの前記接続端末機に送出するステップと、
（ｃ）１ｘＥＶ−ＤＯメッセージの比率を周期的にチェックし、１ｘＥＶ−ＤＯメッセージ指定比率を超過するか否かを判断するステップと、
（ｄ）超過した比率によって１つ以上の遷移対象接続端末機及び特定の１ｘＥＶ−ＤＯ  ＦＡを選定するステップと、
（ｅ）それぞれの前記遷移対象接続端末機に前記特定の１ｘＥＶ−ＤＯ  ＦＡに関する情報を伝送するステップと、
を含むことを特徴とする、メッセージ制御方法。
【請求項４３】
前記ＢＣＭＣＳ割当比率情報は、前記ＢＣＭＣＳのために指定されたＢＣＭＣＳ  ＦＡの資源を前記ＢＣＭＣＳで利用するための比率情報を含むことを特徴とする、請求項４２に記載のメッセージ制御方法。
【請求項４４】
前記１ｘＥＶ−ＤＯメッセージ指定比率は、ＢＣＭＣＳ  ＦＡ資源の全比率から前記ＢＣＭＣＳ割当比率を減算した比率であることを特徴とする、請求項４２または４３に記載のメッセージ制御方法。
【請求項４５】
前記特定の１ｘＥＶ−ＤＯ  ＦＡに関する情報は、リディレクションメッセージまたはトラフィックチャンネル割当メッセージに記録されて、それぞれの前記遷移対象接続端末機に伝送されることを特徴とする、請求項４２に記載のメッセージ制御方法。
【請求項４６】
前記リディレクションメッセージまたは前記トラフィックチャンネル割当メッセージを受信したそれぞれの前記遷移対象接続端末機は、前記特定の１ｘＥＶ−ＤＯ  ＦＡに遷移して１ｘＥＶ−ＤＯサービスの提供を受けることを特徴とする、請求項４５に記載のメッセージ制御方法。
【発明の詳細な説明】
【技術分野】
【０００１】
本発明は、移動通信システムにおいてブロードキャスト／マルチキャストサービスを提供するための周波数割当（Ｆｒｅｑｕｅｎｃｙ  Ａｓｓｉｇｎｍｅｎｔ：以下、‘ＦＡ’と称する）モード及び比率を指定する方法及び通信システムに関し、より詳しくは、１ｘＥＶ−ＤＯシステムにおいて、システムパラメータ（Ｓｙｓｔｅｍ  Ｐａｒａｍｅｔｅｒ）を利用して無線基地局制御器が周波数割当モードをブロードキャスト／マルチキャストサービス（Broadcast／Multicast Service；以下、‘ＢＣＭＣＳ’と称する）専用または混用モードに指定したり、ＢＣＭＣＳ割当比率を指定したりすることにより、ＢＣＭＣＳを效率よく提供する方法及び通信システムに関する。
【背景技術】
【０００２】
最近、通信と放送に分離された媒体環境は、マルチメディアコンテンツのネットワークを含む情報通信技術の発展と、ネットワークのディジタル化及び広帯域化の結果、速い速度で融合されつつある。各事業者が、既存の固有の事業領域を超えて付加サービスを容易に提供できるようになるにつれて、通信と放送との境界は曖昧になり、通信と放送との融合が加速する。このようなサービスを通信放送融合サービスという。即ち、通信事業者は、付加価値がより高いマルチメディアコンテンツを提供するために融合サービスの提供を進め、放送事業者は、放送網を通じた通信サービスの提供と、既存の単方向放送サービスの限界を超えた双方向サービスを提供するために努力している。
【０００３】
このような通信放送融合サービスは３つに大別される。第１に、通信網による放送サービスであって、インターネット放送、ビデオ・オンデマンド（ＶＯＤ：Video On Demand）／ミュージック・オンデマンド（ＭＯＤ：Music On Demand）サービス、電光板放送サービスなどが例に挙げられる。第２に、放送網による通信サービスであって、ケーブルＴＶ網を利用した超高速インターネット接続サービス、ＦＭ（Frequency Modulation）網を利用したＦＭ呼出サービス及び付加サービスなどがある。最後に、通信網と放送網の統合サービスであって、双方向データ放送サービス、電子商取引、ウェブブラウジング（Web
Browsing）、メールサービスなどがある。
【０００４】
特に、最近では移動通信網の帯域幅の拡大と情報通信技術の発展により移動通信と放送間の融合が急速に進行している。移動通信と放送間の融合サービスは、移動通信網を通じて放送機能を提供する移動通信放送サービスと、移動通信を利用した双方向データ放送サービスとに大別される。
【０００５】
図１は、移動通信と放送サービスとの融合による融合サービスを図式化した図面である。
【０００６】
移動通信放送サービスは、デジタルカメラ及びキャムコーダ機能を備えた多機能端末機の広範な普及と、音楽、イメージ、アニメーション、及び動画などを交換しようとする移動通信加入者からの要求とによって、短文文字中心のショートメッセージ・サービス（Short Message Service；以下、ＳＭＳという）からマルチメディアメッセージ・サービス（Multimedia Message Service；以下、ＭＭＳという）に発展した。しかしながら、ＳＭＳとＭＭＳは基本的に、基地局と端末機間の一対一（Point to Point）方式でデータを伝達するため、放送という概念を導入することは困難である。このような短所を改善するために、一対多（Point to Multipoint）方式でＳＭＳが伝達できるセルブロードキャスト・ショートメッセージ・サービス（Cell Broadcast Short Message Service；以下、ＣＢＳという）が開発され、放送概念が導入され始めた。
【０００７】
現在、国内移動通信事業者は、イメージ、音声、または動画などのコンテンツを最大１８０バイトまでサポートする３ＧＰＰ（３ＧＰＰ：3rd Generation Partnership Project）方式のＣＢＳを提供している。３ＧＰＰ２方式のＣＢＳは、データの伝送速度を最大１．２３Ｋバイトまでサポートすることができる。しかしながら、最近は、このような低速のＣＢＳでは、マルチメディアアプリケーションプログラムを提供することにおいて限界に直面しているのが実状である。このような短所を改善するために、３Ｇ移動通信網では、放送専用チャンネルを利用する非同期方式のマルチメディア・ブロードキャスト・マルチキャスト・サービス（Multimedia Broadcast Multicast Service；以下、ＭＢＭＳという）技術と同期方式のＢＣＭＣＳ技術とを通じて２５６Ｋｂｐｓの放送サービスを提供するための試みがなされている。
【０００８】
まず、ＭＢＭＳは一回のデータ伝送で多数の加入者端末機（User Equipment；以下、ＵＥという）が同時にデータを受信することができる高速データ放送サービスである。ＭＢＭＳでは、３ＧＰＰをブロードキャストモードとマルチキャストモードとに区分して定義している。ブロードキャストモードでは、サービス領域内にある全ての加入者が、複雑なサービス加入手順無しに、端末機の設定を通してブロードキャストデータ受信の可否を設定することによって、文字、音声、画像、映像などのマルチメディアサービスの提供を受けることができる。一方、マルチキャストモードでは、該サービスに加入した特定の加入者のみがサービス受けることができる。このため、大部分のサービスが有料で提供される。
【０００９】
一方、ＢＣＭＣＳは、同期陣営である３ＧＰＰ２により標準化が進行しているサービスである。ＢＣＭＣＳでは、ストリーミング（Streaming）、文字、画像、映像などを含むマルチメディアサービスが、１つのリンクを通じて多数のユーザに提供される。マルチメディアサービスを提供するために、システムは、ブロードキャスト／マルチキャストのための別途のチャンネルまたはスロット（Slot）を割り当て、多くの加入者が同時にマルチキャストコンテンツを受信することができるようにする。
【００１０】
さらに、マルチメディアユーザの増加や、ユビキタス（Ubiquitous）サービスの要求によって、ＢＣＭＣＳを衛星ＤＭＢ（ＤＭＢ；Digital Multimedia Broadcasting）の放送サービスと差別化し、ＣＤＭＡ２０００  １ｘＥＶ−ＤＯ（以下、‘１ｘＥＶ−ＤＯ’と略称する）網の高度化を通じて既存のマルチメディア放送サービスと連係する方向で、ＢＣＭＣＳの標準化が進行している。特に、１ｘＥＶ−ＤＯ網を構築したＳＫテレコム、ＫＴＦなどの国内事業者、日本の日立及びＫＤＤＩ、三星電子、クアルコム（Ｑｕａｌｃｏｍｍ）などがＢＣＭＣＳの必要性を主張して、標準確立に積極的に参加している。
【００１１】
図２は、１ｘＥＶ−ＤＯ網でのＢＣＭＣＳのための標準化作業に関するワーキンググループ毎に進行状況を表した表である。
【００１２】
一方、１ｘＥＶ−ＤＯ網においてＢＣＭＣＳを提供するために、サービス事業者はＢＣＭＣＳを提供するＦＡを指定し、指定された周波数でＢＣＭＣＳを提供する。しかしながら、１つの周波数資源を新しく増設するためには、１千億ウォン以上の莫大な費用がかかるという短所がある。したがって、既存の周波数資源の中で、利用されていない周波数資源を利用することが好ましい。しかしながら、現在、各移動通信事業者には、利用されていない周波数資源がほとんどないため、ＢＣＭＣＳの效率的な提供が非常に困難であるという状況である。
【発明の開示】
【発明が解決しようとする課題】
【００１３】
上述した問題を解決するために、本発明は、無線基地局制御器が、１ｘＥＶ−ＤＯシステムにおいてシステムパラメータを利用し、ＦＡモードをＢＣＭＣＳ専用または混用モードに指定したり、ＢＣＭＣＳ割当比率を指定することにより、ＢＣＭＣＳを效率よく提供する方法及び通信システムを提供することを目的とする。
【課題を解決するための手段】
【００１４】
上述した目的を達成するための本発明の第１の目的によれば、１ｘＥＶ−ＤＯシステムにおいてＢＣＭＣＳを提供するためにＦＡモード及び／またはＢＣＭＣＳ割当比率を指定するシステムであって、１ｘＥＶ−ＤＯシステムを通じて１ｘＥＶ−ＤＯサービスやＢＣＭＣＳの提供を受ける１つ以上の接続端末機と、ＦＡモード及び／またはＢＣＭＣＳ割当比率を含むＢＣＭＣＳ制御情報を受信し、受信したＢＣＭＣＳ制御情報を１ｘＥＶ−ＤＯ制御器に伝送する基地局運用装置と、ＢＣＭＣＳ制御情報を受信して一時的に格納し、ＢＣＭＣＳ制御情報に含まれたＦＡモード及び／またはＢＣＭＣＳ割当比率に基づいて、それぞれの接続端末機に伝送するメッセージの種類及び／または比率を制御する１ｘＥＶ−ＤＯ制御器、及び１ｘＥＶ−ＤＯ伝送器を含むアクセス網と、を含むことを特徴とする、ＢＣＭＣＳを提供するためにＦＡモード及び／またはＢＣＭＣＳ割当比率を指定する通信システムを提供する。
【００１５】
本発明の第２目的によれば、１つ以上の接続端末機と、アクセス網と、基地局運用装置とを含み、アクセス網は、接続端末機のそれぞれに１ｘＥＶ−ＤＯサービス及び／またはＢＣＭＣＳを提供するためにパケットデータ及び各種メッセージを伝送する１ｘＥＶ−ＤＯ伝送器と、１ｘＥＶ−ＤＯ制御器とを含んで構成される１ｘＥＶ−ＤＯシステムにおいて、ＦＡモード及び／またはＢＣＭＣＳ割当比率を指定する方法であって、（ａ）ＦＡモード情報及び／またはＢＣＭＣＳ割当比率情報を含むＢＣＭＣＳ制御情報を入力し、前記情報が正常な入力情報なのかを判断するステップと、（ｂ）タイマーを駆動すると共に、ＢＣＭＣＳ制御情報を前記アクセス網に伝送するステップと、（ｃ）所定のチェック時間が終了されたか否かを判定し、アクセス網から応答信号が受信されるか否かをチェックするステップと、（ｄ）チェック時間内に応答信号が受信されない場合、エラーメッセージ及び／または前記ＢＣＭＣＳ制御情報の再入力画面を出力するステップと、を含むことを特徴とするＢＣＭＣＳを提供するためにＦＡモード及び／またはＢＣＭＣＳ割当比率を指定する方法を提供する。
【００１６】
本発明の第３目的によれば、１つ以上の接続端末機と、アクセス網と、基地局運用装置とを含み、前記アクセス網は、前記接続端末機に１ｘＥＶ−ＤＯサービス及び／またはＢＣＭＣＳを提供するためにパケットデータ及び各種メッセージを伝送する１ｘＥＶ−ＤＯ伝送器及び１ｘＥＶ−ＤＯ制御器を含んで構成される１ｘＥＶ−ＤＯシステムにおいて、設定されたＢＣＭＣＳ専用モードによるメッセージ制御方法であって、（ａ）アクセス網から伝送されるオーバーヘッドメッセージを受信するステップと、（ｂ）オーバーヘッドメッセージに含まれるＣＤＭＡチャンネルリストを確認し、ＦＡを選定してＦＡに同調するステップと、（ｃ）ＢＣＭＣＳが要求された場合、接続端末機が同調しているＦＡがＢＣＭＣＳ  ＦＡか否かを判断するステップと、（ｄ）接続端末機がＢＣＭＣＳ  ＦＡに同調しない状態である場合には、ＢＣＭＣＳ  ＦＡに遷移し、ＢＣＭＣＳの提供を受けるステップと、を含むことを特徴とする、１ｘＥＶ−ＤＯシステムのＢＣＭＣＳ専用モードでのメッセージ制御方法を提供する。
【００１７】
本発明の第４目的によれば、１つ以上の接続端末機と、アクセス網と、基地局運用装置とを含み、アクセス網は、それぞれの接続端末機に１ｘＥＶ−ＤＯサービス及び／またはＢＣＭＣＳを提供するためにパケットデータ及び各種メッセージを伝送する１ｘＥＶ−ＤＯ伝送器及び１ｘＥＶ−ＤＯ制御器を含んで構成される１ｘＥＶ−ＤＯシステムにおいて、設定されるＢＣＭＣＳ専用モードによるメッセージ制御方法であって、（ａ）アクセス網から伝送されるオーバーヘッドメッセージを受信するステップと、（ｂ）オーバーヘッドメッセージに含まれたＣＤＭＡチャンネルリストを確認し、ＦＡを選択してＦＡに同調するステップと、（ｃ）ＢＣＭＣＳが要求された場合、格納しているＢＣＭＣＳ  ＦＡをチェックするステップと、（ｄ）チェックしたＢＣＭＣＳ  ＦＡに遷移し、ＢＣＭＣＳの提供を受けるステップと、を含むことを特徴とする１ｘＥＶ−ＤＯシステムのＢＣＭＣＳ専用モードでのメッセージ制御方法を提供する。
【００１８】
本発明の第５目的によれば、１つ以上の接続端末機と、アクセス網と、基地局運用装置とを含み、アクセス網は、それぞれの接続端末機に１ｘＥＶ−ＤＯサービス及び／またはＢＣＭＣＳを提供するためにパケットデータ及び各種メッセージを伝送する１ｘＥＶ−ＤＯ伝送器及び１ｘＥＶ−ＤＯ制御器を含んで構成される１ｘＥＶ−ＤＯシステムにおいて、設定されるＢＣＭＣＳ混用モードによるメッセージ制御方法であって、（ａ）１ｘＥＶ−ＤＯ制御器は、基地局運用装置からＢＣＭＣＳ混用モード情報及びＢＣＭＣＳ割当比率情報を受信して格納するステップと、（ｂ）ＢＣＭＣＳ割当比率情報によってメッセージの種類及び／または比率を制御してそれぞれの接続端末機に送出するステップと、（ｃ）１ｘＥＶ−ＤＯメッセージの比率を周期的にチェックし、１ｘＥＶ−ＤＯメッセージ指定比率を超過するか否かを判断するステップと、（ｄ）超過した比率によって１つ以上の遷移対象接続端末機及び特定の１ｘＥＶ−ＤＯ  ＦＡを選定するステップと、（ｅ）それぞれの遷移対象接続端末機に特定の１ｘＥＶ−ＤＯ  ＦＡに関する情報を伝送するステップと、を含むことを特徴とする、１ｘＥＶ−ＤＯシステムのＢＣＭＣＳ混用モードでのメッセージ制御方法を提供する。
【発明の効果】
【００１９】
上述したように、本発明によれば、１ｘＥＶ−ＤＯシステムでＢＣＭＣＳを提供する場合、既存の１ｘＥＶ−ＤＯシステムで使用されている特定の周波数資源を利用できるため、新たな周波数資源を増設することなく、新たな周波数資源の増設にかかる莫大な費用が低減できるという経済的な効果が得られる。
【００２０】
また、、時々刻々変わる通信環境に応じて、ＢＣＭＣＳ専用モードやＢＣＭＣＳと１ｘＥＶ−ＤＯとの混用モードによりＢＣＭＣＳのために利用される該当周波数資源を設定する機能を提供することにより、ネットワーク運用事業者は、弾力的なネットワーク運用を通じて１ｘＥＶ−ＤＯサービスやＢＣＭＣＳを效率よく提供することができる。
【発明を実施するための最良の形態】
【００２１】
以下、添付の図面を参考しつつ本発明の実施形態を詳細に説明する。
【００２２】
まず、各図面の構成要素に参照符号を付加することにおいて、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００２３】
図３は、本発明の好ましい実施形態に係る１ｘＥＶ−ＤＯ  ＢＣＭＣＳシステム３００を簡略に示すブロック図である。
【００２４】
本発明の実施形態に係る１ｘＥＶ−ＤＯ  ＢＣＭＣＳシステム３００は、接続端末機３１０、アクセス網３２０、ＧＡＮ３３０、基地局管理装置３４０、パケットデータサービングノード３５０、認証サーバ３６０、データ位置登録器３７０、ＢＣＭＣＳ制御器３８０、ＢＣＭＣＳコンテンツサーバ３９０、ＢＣＭＣＳコンテンツ提供サーバ３９２などを含む。
【００２５】
接続端末機（ＡＴ：Access Terminal）３１０は、ユーザが持って移動しながら通信できる無線端末機であって、移動通信端末機、ノートブックコンピュータ、ＰＤＡ（Personal Digital Assistant）などを含む。接続端末機３１０は、データを受信する場合には順方向チャンネル（Forward Channel）を利用し、逆に、データを送信する場合には逆方向チャンネル（Reverse Channel）を利用する。接続端末機３１０には、１ｘＥＶ−ＤＯ  ＢＣＭＣＳを利用するためにクアルコム社のＭＳＭ（Mobile Station Modem）４５００、ＭＳＭ５５００、ＭＳＭ６５００などのチップが内蔵されている。
【００２６】
一方、本発明の実施形態に係る１ｘＥＶ−ＤＯ  ＢＣＭＣＳを利用するために、接続端末機３１０はサービス加入申請を実行する。加入申請が完了すると、加入者プロファイルが認証サーバ３６０に格納される。
【００２７】
アクセス網（ＡＮ：Access Network）３２０は、１ｘＥＶ−ＤＯ伝送器（ＡＮＴＳ：Access Network Transceiver Subsystem）３２２及び１ｘＥＶ−ＤＯ制御器（ＡＮＣ：Access Network Controller）３２４を含んで構成される。
【００２８】
１ｘＥＶ−ＤＯ伝送器３２２は、エアインタフェース（Air Interface）を通じて接続端末機３１０にパケットデータを伝送する。１ｘＥＶ−ＤＯ伝送器３２２は、１ｘＥＶ−ＤＯ伝送器３２２と１ｘＥＶ−ＤＯ制御器３２４との間の信号整合を行うインターフェースユニット（Interface Unit）、ＣＤＭＡチャンネルの変調及び復調機能を実行するＣＤＭＡ変調／復調ユニット、トランシーバー（Transceiver）ユニット、ＲＦ（Radio
Frequency）ユニットなどを含む。
【００２９】
１ｘＥＶ−ＤＯ制御器３２４は、１ｘＥＶ−ＤＯ伝送器３２２の動作を制御する機能を実行する。即ち、１ｘＥＶ−ＤＯ伝送器３２２から伝送されたデータをＧＡＮ３３０を通じてパケットデータサービングノード３５０に伝送する。さらに、１ｘＥＶ−ＤＯ制御器３２４は、接続端末機３１０に対する無線チャンネル割当及び解除機能、接続端末機３１０と無線基地局との送信出力制御機能、セル間ソフトハンドオフ（Soft Handoff）及びハードハンドオフ（Hard Handoff）の決定などの機能を実行する。また、１ｘＥＶ−ＤＯ制御器３２４は、パケットデータの伝送のためのパケット制御部（ＰＣＦ：Packet Control Function）３２６を含む。
【００３０】
一方、アクセス網３２０は、現在ＣＤＭＡ２０００  １ｘシステムと１ｘＥＶ−ＤＯシステムとが混用されているため、基地局伝送器（ＢＴＳ:Basestation Transceiver Subsystem）（図示していない）と基地局制御器（ＢＳＣ:Base Station Controller）（図示していない）を含んで構成されてもよい。
【００３１】
ＧＡＮ（General ATM Switch Network）３３０は、１ｘＥＶ−ＤＯ制御器３２４と接続されて１ｘＥＶ−ＤＯシステムに対して送受信されるパケットデータのルーティング機能を実行する通信装備である。即ち、１ｘＥＶ−ＤＯ制御器３２４間のトラフィックに接続されている接続端末機３１０にソフトハンドオフを実行するスイッチの役割をし、ＰＣＦ３２６と連動してパケットデータサービスを提供する。また、パケットデータサービスのためにパケットデータサービングノード３５０、認証サーバ３６０及びデータ位置登録器１７０を接続する機能を実行する。
【００３２】
基地局管理装置（ＢＳＭ：Base Station Manager）３４０は、１ｘＥＶ−ＤＯ伝送器３２２及び１ｘＥＶ−ＤＯ制御器３２４のシステムパラメータ（System Parameter）を管理し、１ｘＥＶ−ＤＯ伝送器３２２及び１ｘＥＶ−ＤＯ制御器３２４の作動状態を定期的に監視する等の機能を実行する。
【００３３】
一方、本発明の実施形態に係る１ｘＥＶ−ＤＯ  ＢＣＭＣＳを提供するために、運用者はＢＳＭ３４０を用いて、ＦＡモード指定命令やＢＣＭＣＳ割当比率命令を入力する。したがって、ＢＳＭ３４０には、ＢＣＭＣＳのためのＦＡモード指定及び／またはＢＣＭＣＳ割当比率を入力するための所定のプログラム（以下、‘ＢＣＭＣＳ制御用プログラム’と称する）が格納されている。ここで、ＦＡは、ＣＤＭＡシステムでのＣＤＭＡサービスチャンネル及びＣＤＭＡ周波数と同一な用語として用いられる。
【００３４】
一方、本発明の実施形態に係るＦＡモード指定においては、ＢＣＭＣＳ専用モードまたはＢＣＭＣＳ混用モードのいずれかを指定することが可能である。ＦＡモードがＢＣＭＣＳ専用モードに指定された場合は、該当周波数はＢＣＭＣＳの実行のみに利用される。これに対して、ＦＡモードがＢＣＭＣＳ混用モードに指定された場合は、該当周波数はＢＣＭＣＳと共に、一般的な１ｘＥＶ−ＤＯパケットサービスを実行することにも利用される。
【００３５】
特に、ＦＡモードがＢＣＭＣＳ混用モードに指定された場合には、ＢＣＭＣＳ制御用プログラムは、一般的な１ｘＥＶ−ＤＯパケットサービスとＢＣＭＣＳとを效率よく提供するために、ＢＣＭＣＳ割当比率を指定または変更する機能をサポートする。例えば、ＢＣＭＣＳ割当比率が２５％に指定された場合、該当周波数は既存の１ｘＥＶ−ＤＯサービスだけでなく、ＢＣＭＣＳを提供することにも利用される。さらに、該当周波数容量の７５％は、既存の１ｘＥＶ−ＤＯサービスを提供することに利用され、残りの２５％がＢＣＭＣＳを提供することに利用される。
【００３６】
運用者によりＦＡモード及び／またはＢＣＭＣＳ割当比率が入力されると、該当入力情報はＧＡＮ３３０を通じてアクセス網３２０に伝送される。アクセス網３２０を構成する１ｘＥＶ−ＤＯ制御器３２４は受信した入力情報を格納し、１ｘＥＶ−ＤＯ伝送器３２２に伝送する。同様に、１ｘＥＶ−ＤＯ伝送器３２２も受信した入力情報を格納する。ここで、ＧＡＮ３３０を通じてアクセス網３２０に伝送される基地局運用装置３４０の入力情報は、ＢＣＭＣＳのために新規に定義されるシステムパラメータに含まれる。
【００３７】
一方、１ｘＥＶ−ＤＯ制御器３２４及び１ｘＥＶ−ＤＯ伝送器３２２は、受信され格納されているＦＡモード及び／またはＢＣＭＣＳ割当比率に従って、接続端末機３１０に伝送する各種メッセージの内容及び比率などを調節する。これに対しては図４〜図６でより詳細に説明する。
【００３８】
パケットデータサービングノード（Packet Data Serving Node；以下、‘ＰＤＳＮ’と称する）３５０は、接続端末機３１０にパケットデータサービスを提供する機能を実行する。ＰＤＳＮ３５０は、第２世代（２Ｇ）移動通信システムでデータ通信を支援するために用いられる相互動作機能（ＩＷＦ：Inter-Working Function）から発展した機器である。
【００３９】
認証サーバ（ＡＡＡ：Authorization Authentication Accounting）３６０は、認証された接続端末機１００がパケットデータサービスを要求する場合に、加入者認証を実行する。さらに、パケットデータをＰＤＳＮ３５０を通じて送受信するために暗号化キー（Encording Key）を用いてデータを暗号化する機能、暗号化レベル（Encording Level）の管理機能、及び課金のための課金データを収集する機能等を実行する。
【００４０】
一般に、認証サーバ３６０での加入者認証は、アクセス網認証サーバ（ＡＮ−ＡＡＡ：Access Network AAA）（図示していない）での端末機認証が成功した後に実行される。アクセス網認証サーバでの端末機認証及び認証サーバ３６０での加入者認証が全て成功したときは、認証サーバ３６０は、加入者が要求したサービスを許可し、加入者のプロファイル情報を格納する。ここで、加入者のプロファイル情報には、移動通信端末機の電話番号及び電子シリアル番号（ＥＳＮ：Electronic Serial Number）、加入した付加サービスについての情報などが含まれている。
【００４１】
データ位置登録器（ＤＬＲ：Data Location Register）３７０は、１ｘＥＶ−ＤＯシステムの１ｘＥＶ−ＤＯ制御器３２４とＧＡＮ３３０を通じてＴＣＰ／ＩＰ（Transmission Control Protocol／Internet Protocol）で接続される。さらに、データ位置登録器３７０は、接続端末機３１０の位置情報及び呼出領域（Paging Zone）を管理し、接続端末機３１０の移動性を支援し、セッション（Session）の制御を実行する。ここで、セッションとは、接続端末機３１０とアクセス網３２０とが通信するためのプロトコル（Protocol）及びプロトコル環境（Configuration）をいう。したがって、接続端末機３１０とアクセス網３２０とがパケットデータ通信を行うためには、データ位置登録器３７０によって最初にセッション生成が行われなければならない。
【００４２】
ＢＣＭＣＳ制御器３８０は、接続端末機３１０、ＰＤＳＮ３５０及び後述するＢＣＭＣＳコンテンツサーバ３９０に接続端末機３１０のセッション情報を提供し、セッション情報を管理する。また、認証サーバ３６０から加入者プロファイルを受信し、接続端末機３１０にサービス権限を与えて、ＢＣＭＣＳコンテンツ提供者を認証する。さらに、ＢＣＭＣＳ制御器３８０は、１つ以上のＢＣＭＣＳコンテンツ提供サーバ３９２からＢＣＭＣＳコンテンツやＢＣＭＣＳコンテンツリストを受信し、ＢＣＭＣＳを受けようとする接続端末機３１０がＢＣＭＣＳコンテンツを選択できるように、接続端末機３１０にコンテンツ情報を提供する。
【００４３】
ＢＣＭＣＳコンテンツサーバ３９０は、１つ以上のＢＣＭＣＳコンテンツ提供サーバ３９２からＢＣＭＣＳコンテンツを受信または収集し、収集したＢＣＭＣＳコンテンツを暗号化して格納する。また、ＢＣＭＣＳコンテンツサーバ３９０は、暗号化されたＢＣＭＣＳコンテンツをＩＰ基盤マルチキャストストリーム（Multicast Stream）に最終的に変換し、マルチキャスト伝送技術を利用してＰＤＳＮ３５０に伝送する。ここで、マルチキャスト伝送技術は、１つのストリームを多数のクライアントに同時に提供する伝送技術であって、サーバのＩ／Ｏ（Input／Output）とネットワーク帯域幅とを減縮可能な放送サービスに適合したデータ伝送技術である。
【００４４】
一方、接続端末機３１０は、受信した暗号化ＢＣＭＣＳコンテンツを復号化して利用する。また、ＢＣＭＣＳにおけるＢＣＭＣＳコンテンツの暗号化及び復号化のためのセキュリティ対策（Security Mechanism）については、標準化が現在もなお議論されている。しかしながら、セキュリティ対策については、本発明の核心技術事項ではないため、詳細な説明は省略する。
【００４５】
ＢＣＭＣＳコンテンツ提供サーバ３９２は、ＢＣＭＣＳのためのＢＣＭＣＳコンテンツをベアラサービス（Bearer Service）を利用してＢＣＭＣＳコンテンツサーバ３９０に提供する。ここで、ＢＣＭＣＳコンテンツ提供サーバ３９２がＢＣＭＣＳコンテンツサーバ３９０に提供するＢＣＭＣＳコンテンツは、暗号化されていない状態である。
【００４６】
図４は、本発明の第１実施形態において、ＦＡモードをＢＣＭＣＳ専用モードに指定した場合のメッセージ処理過程を示すフローチャートである。
【００４７】
図４で説明するメッセージ処理過程は、１つの無線基地局が所轄するアクセス網３２０の中に位置する接続端末機３１０の一部には１ｘＥＶ−ＤＯ周波数を割り当て、残りの接続端末機３１０にはＢＣＭＣＳ周波数を割り当て、メッセージを処理する方法に関するものである。
【００４８】
一方、１ｘＥＶ−ＤＯシステムのアクセス網３２０には、基地局運用装置３４０から伝送されたＦＡモードまたはＢＣＭＣＳ割当比率の少なくともいずれか一方に関する情報が既に格納されているものと仮定する。
【００４９】
また、接続端末機３１０は、既に１ｘＥＶ−ＤＯシステムでの端末機初期化（Initialization）に成功したものと仮定する。ここで、初期化とは、端末機に電源が供給された後（Power On）、端末機に必要な情報をセッティングし、待機状態（Idle State）に遷移するための環境を作ることをいう。初期化作業は、システム決定副状態（System Determination Substate）、パイロットチャンネル獲得副状態（Pilot Channel Acquisition Substate）、シンクチャンネル獲得副状態（Sync Channel Acquisition Substate）などの順序で行われる。端末機の初期化作業は、通常の当業者に広く公知された内容であるので、詳細な説明は省略する。
【００５０】
初期化作業を実行した接続端末機３１０は、待機状態に遷移し、１ｘＥＶ−ＤＯシステムから伝送されるメッセージを受信するために周期的にコントロールチャンネル（Control Channel）を検索する（Ｓ４００）。ＢＣＭＣＳ専用モードに設定されている１ｘＥＶ−ＤＯシステムのアクセス網３２０は、オーバーヘッドメッセージ（Overhead Message）を生成して接続端末機３１０に伝送する（Ｓ４０２）。ここで、オーバーヘッドメッセージは、全ての接続端末機が無条件に受信するメッセージであって、重要なシステム情報がクイック設定（Quick_Config）メッセージ、セクタパラメタ（Sector_Parameter）メッセージなどに含まれている。
【００５１】
一方、本発明の第１実施形態に係るオーバーヘッドメッセージのうち、セクタパラメタメッセージには、２つ以上のＦＡに関する情報がＣＤＭＡチャンネルリストに含まれている。即ち、アクセス網３２０が２つのＦＡを利用する場合には２つのＦＡに関する情報がＣＤＭＡチャンネルリストに含まれ、３つのＦＡを利用する場合には３つのＦＡに関する情報が含まれる。特に、２つ以上のＦＡ情報のうち、１つはＢＣＭＣＳ  ＦＡに関する情報である。
【００５２】
オーバーヘッドメッセージを受信した接続端末機３１０は、セクタパラメタメッセージに含まれているＣＤＭＡチャンネルリスト数を確認し、内蔵されているハッシュ（Hash）関数を利用して特定のＦＡを選択して同調する（Ｓ４０４）。ここで、ハッシュ関数は見込み上の周波数資源を均一化させるために利用される関数であって、一方向性関数（One
Way Function）であり、逆方向には実行できない。
【００５３】
多数の接続端末機がハッシュ関数を利用して各々特定のＦＡを選択する場合、一部の接続端末機はＢＣＭＣＳ  ＦＡに同調し、残りの接続端末機は１ｘＥＶ−ＤＯ  ＦＡに同調する。即ち、ＣＤＭＡチャンネルリストに２つのＦＡに関する情報が含まれている場合、特定のアクセス網３２０内に位置する接続端末機のうち、半分は１ｘＥＶ−ＤＯ  ＦＡに同調し、残りの半分の接続端末機はＢＣＭＣＳ  ＦＡに同調することになる。
【００５４】
接続端末機３１０のユーザなどが、接続端末機３１０に備えられた特定のキーボタンを押下すると、サービス要求イベントが発生する（Ｓ４０６）。
【００５５】
サービス要求イベントが発生すると、接続端末機３１０は、要求されたサービスが１ｘＥＶ−ＤＯサービスなのかＢＣＭＣＳなのかを判断する（Ｓ４０８）。ステップＳ４０８での判断の結果、要求されたサービスが１ｘＥＶ−ＤＯサービスと判断されれば、接続端末機３１０は、１ｘＥＶ−ＤＯサービス要求信号を生成してアクセス網３２０に伝送する（Ｓ４１０）。その後、接続端末機３１０から１ｘＥＶ−ＤＯサービス要求信号を受信した１ｘＥＶ−ＤＯ制御器３２４は、接続端末機３１０が同調しているＦＡが１ｘＥＶ−ＤＯ  ＦＡなのかＢＣＭＣＳ  ＦＡなのかを判断する（Ｓ４１２）。
【００５６】
ステップＳ４１２での判断の結果、接続端末機３１０がＢＣＭＣＳ  ＦＡに同調していると判断されれば、１ｘＥＶ−ＤＯ制御器３２４は、リディレクション（Redirection）メッセージやトラフィックチャンネル割当（Traffic Channel Assignment）メッセージを生成及び伝送する（Ｓ４１４）。ここで、リディレクションメッセージやトラフィックチャンネル割当メッセージには、接続端末機３１０が移行する１ｘＥＶ−ＤＯ  ＦＡに関する情報が格納されている。
【００５７】
リディレクションメッセージやトラフィックチャンネル割当メッセージを受信した接続端末機３１０は、受信したメッセージに含まれる１ｘＥＶ−ＤＯ  ＦＡ情報を利用して、該当１ｘＥＶ−ＤＯ  ＦＡに移行する（Ｓ４１６）。新たな１ｘＥＶ−ＤＯ  ＦＡに移行した接続端末機３１０は、１ｘＥＶ−ＤＯシステムを通じて１ｘＥＶ−ＤＯサービスの提供を受ける（Ｓ４１８）。一方、ステップＳ４１２での判断の結果、接続端末機３１０が１ｘＥＶ−ＤＯ  ＦＡに同調していると判断されれば、１ｘＥＶ−ＤＯ制御器３２４は該当１ｘＥＶ−ＤＯ  ＦＡを通じて１ｘＥＶ−ＤＯサービスを提供する。
【００５８】
一方、ステップＳ４０８での判断の結果、ＢＣＭＣＳが要求されたと判断されれば、接続端末機３１０は現在同調しているＦＡをチェックする（Ｓ４２０）。その後、接続端末機３１０が同調しているＦＡが、ＢＣＭＣＳ  ＦＡなのか、１ｘＥＶ−ＤＯ  ＦＡなのかを判断する（Ｓ４２２）。ステップＳ４２２での判断の結果、接続端末機３１０が１ｘＥＶ−ＤＯ  ＦＡに同調していると判断されれば、接続端末機３１０はＢＣＭＣＳ  ＦＡに移行する（Ｓ４２４）。ＢＣＭＣＳ  ＦＡに移行した接続端末機３１０は、１ｘＥＶ−ＤＯシステムを通じてＢＣＭＣＳの提供を受ける（Ｓ４２６）。一方、ステップＳ４２２での判断の結果、接続端末機３１０がＢＣＭＣＳ  ＦＡに同調している場合には、１ｘＥＶ−ＤＯシステムを通じて直接ＢＣＭＣＳを受けることができる。
【００５９】
ここで、接続端末機３１０には、ＢＣＭＣＳの提供を受けるために設定されたＢＣＭＣＳ  ＦＡに関する情報が既に格納されている。例えば、接続端末機３１０の製造段階や性能向上（Upgrade）作業を通じて、ＢＣＭＣＳ  ＦＡに関する情報が接続端末機３１０に格納されてもよい。したがって、接続端末機３１０は、格納されたＢＣＭＣＳ  ＦＡ情報を確認して、該当ＢＣＭＣＳ  ＦＡへの同調作業を行うことができる。
【００６０】
図５は、本発明の第２実施形態において、ＦＡモードをＢＣＭＣＳ専用モードに指定した場合のメッセージ処理過程を示すフローチャートである。
【００６１】
図４の説明で仮定した内容と同様に、図５においても、接続端末機が初期化作業に成功したものと仮定する。また、図５のステップＳ５００〜ステップＳ５０８の過程は、図４のステップＳ４００〜Ｓ４０８と類似しているので、詳細な説明は省略する。但し、図４のステップＳ４０２で伝送されるセクタパラメタメッセージには、２つ以上のＦＡに関する情報がＣＤＭＡチャンネルリストに含まれているが、図５のステップＳ５０２で伝送されるセクタパラメタメッセージには１つ以上の１ｘＥＶ−ＤＯ  ＦＡに関する情報のみ格納されている。即ち、図４で説明したステップＳ４０２とは異なり、セクタパラメタメッセージには、ＢＣＭＣＳ  ＦＡに関する情報は格納されていない。
【００６２】
したがって、接続端末機３１０は、ＢＣＭＣＳ  ＦＡには同調せず、その代わりに１ｘＥＶ−ＤＯ  ＦＡに同調する。但し、接続端末機３１０がＢＣＭＣＳを要求する場合のみ、アクセス網３２０は接続端末機３１０にＢＣＭＣＳと関連したメッセージを伝送し、ＢＣＭＣＳを提供する。
【００６３】
一方、ステップＳ５０８での判断の結果、１ｘＥＶ−ＤＯサービスが要求されたと判断されれば、接続端末機３１０は１ｘＥＶ−ＤＯサービス要求信号を生成してアクセス網３２０に伝送する（Ｓ５１０）。接続端末機３１０から１ｘＥＶ−ＤＯサービス要求信号を受信したアクセス網３２０は、呼出メッセージやトラフィックチャンネル割当メッセージを生成して接続端末機３１０に伝送する（Ｓ５１２）。接続端末機３１０は、受信した呼出チャンネルとトラフィックチャンネル割当メッセージを利用して、データ受信のためのトラフィックチャンネルを形成する。トラフィックチャンネルを形成した接続端末機３１０は、１ｘＥＶ−ＤＯシステムから１ｘＥＶ−ＤＯサービスの提供を受ける（Ｓ５１４）。
【００６４】
一方、ステップＳ５０８での判断の結果、要求されたサービスがＢＣＭＣＳと判断された場合、接続端末機３１０は、格納されているＢＣＭＣＳ  ＦＡに関する情報を確認する（Ｓ５１６）。格納されているＢＣＭＣＳ  ＦＡに関する情報を確認した接続端末機３１０は、該当ＢＣＭＣＳ  ＦＡに同調して（Ｓ５１８）、ＢＣＭＣＳの提供を受ける（Ｓ５２０）。
【００６５】
図６は、本発明の第３実施形態において、ＦＡモードをＢＣＭＣＳ混用モードに指定した場合のメッセージ処理過程を示すフローチャートである。
【００６６】
上述した図４及び図５と同様に、図６においても、接続端末機３１０は初期化作業に成功して待機状態にあり、基地局運用装置３４０から伝送されたＦＡモード及びＢＣＭＣＳ割当比率に関する情報が、１ｘＥＶ−ＤＯ伝送器３２２及び１ｘＥＶ−ＤＯ制御器３２４に格納されているものと仮定する。
【００６７】
１ｘＥＶ−ＤＯ制御器３２４は、設定されているＢＣＭＣＳ割当比率によって１ｘＥＶ−ＤＯメッセージ送出を制御する（Ｓ６００）。１ｘＥＶ−ＤＯ制御器３２４は、自身が１ｘＥＶ−ＤＯ伝送器３２２を通じて送出するように制御する１ｘＥＶ−ＤＯメッセージの比率を周期的にチェックする（Ｓ６０２）。１ｘＥＶ−ＤＯ制御器３２４は、自身が送出するように制御する１ｘＥＶ−ＤＯメッセージの比率が、指定されたＢＣＭＣＳ割当比率を超過するかどうかを継続的に判断する（Ｓ６０４）。
【００６８】
ステップＳ６０４での判断の結果、１ｘＥＶ−ＤＯメッセージの比率が、指定されたＢＣＭＣＳ割当比率を超過すると判断された場合、１ｘＥＶ−ＤＯ制御器３２４は、超過した比率に該当するメッセージを１ｘＥＶ−ＤＯシステムから受信する接続端末機を、遷移対象接続端末機として選定する（Ｓ６０６）。例えば、ＢＣＭＣＳ混用モードにおいて、ＢＣＭＣＳ割当比率が７０％であり、一般の１ｘＥＶ−ＤＯサービス割当比率が３０％である場合、エアインタフェース上に送受信される１ｘＥＶ−ＤＯサービスのためのメッセージ比率が３０％を越えることになれば、１ｘＥＶ−ＤＯ制御器３２４は、３０％を越える時点からの１ｘＥＶ−ＤＯサービスメッセージを受信する接続端末機を遷移対象接続端末機として選定する。
【００６９】
複数の遷移対象接続端末機を選定した１ｘＥＶ−ＤＯ制御器３２４は、該当遷移対象接続端末機に割り当てる１ｘＥＶ−ＤＯ  ＦＡを選定する（Ｓ６０８）。特定の１ｘＥＶ−ＤＯ  ＦＡを選定した１ｘＥＶ−ＤＯ制御器は、該当１ｘＥＶ−ＤＯ  ＦＡの情報が含まれたリディレクションメッセージやトラフィックチャンネル割当メッセージを生成し、遷移対象接続端末機に伝送する（Ｓ６１０）。アクセス網３２０から伝送されるリディレクションメッセージやトラフィックチャンネル割当メッセージを受信した遷移対象接続端末機は、受信したメッセージに含まれた１ｘＥＶ−ＤＯ  ＦＡに遷移して１ｘＥＶ−ＤＯサービスの提供を継続して受ける（Ｓ６１２）。
【００７０】
図７は、本発明の実施形態において、ＦＡモード及び／またはＢＣＭＣＳ割当比率を指定する過程を示すフローチャートである。
【００７１】
まず、基地局運用装置３４０の運用者等が、ＦＡモード及び／またはＢＣＭＣＳ割当比率についての情報を基地局運用装置３４０に入力する（Ｓ７００）。基地局運用装置３４０へのＦＡモード及び／またはＢＣＭＣＳ割当比率情報の入力は、基地局運用装置３４０に備えられたキーボード（Keyboard）やマウス（Mouse）などのようなデータ入力装置と基地局運用装置３４０に格納されたＢＣＭＣＳ制御用プログラムにより行われる。
【００７２】
ＢＣＭＣＳ制御用プログラムは、入力されたＦＡモード及び／またはＢＣＭＣＳ割当比率情報が正常な情報なのかを判断する（Ｓ７０２）。例えば、ＦＡモードとしてＢＣＭＣＳ専用モードが入力または選択され、ＢＣＭＣＳ割当比率が５０％と入力される場合には、ＢＣＭＣＳ制御用プログラムは、正常な情報入力でないと判断し、エラーメッセージとＦＡモード及び／またはＢＣＭＣＳ割当比率の再入力画面をモニター（Monitor）などに出力する（Ｓ７０４）。
【００７３】
一方、ステップＳ７０２で正常な情報入力と判断されれば、ＢＣＭＣＳ制御用プログラムは、基地局運用装置３４０に備えられたハードディスクなどのようなデータ格納装置に入力情報を一時的に格納する（Ｓ７０６）。次に、ＢＣＭＣＳ制御用プログラムは、タイマー（Timer）を作動させて時間を測定し始め、カウント（Count）作業を開始する（Ｓ７０８）。また、ＢＣＭＣＳ制御用プログラムは、ステップＳ７０８での時間測定と同時に、ステップＳ７００で入力されたＦＡモード及び／またはＢＣＭＣＳ割当比率情報を、ＧＡＮ３３０を通じて１ｘＥＶ−ＤＯ制御器３２４に伝送する（Ｓ７１０）。
【００７４】
ＦＡモード及び／またはＢＣＭＣＳ割当比率情報を伝送した基地局運用装置３４０は、１ｘＥＶ−ＤＯ制御器３２４から応答信号が伝送されたか否かを判断する（Ｓ７１２）。１ｘＥＶ−ＤＯ制御器３２４から応答信号を受信した場合は、基地局運用装置３４０は、モニターなどに成功メッセージを出力する（Ｓ７１４）。一方、基地局運用装置３４０が１ｘＥＶ−ＤＯ制御器３２４から応答信号を受信していない場合には、ＢＣＭＣＳ制御用プログラムは、あらかじめ設定された時間が終了したか否かを判断する（Ｓ７１６）。
【００７５】
例えば、基地局運用装置３４０が、ＦＡモード及び／またはＢＣＭＣＳ割当比率情報を含むシステムパラメータを１ｘＥＶ−ＤＯ制御器３２４に正常に伝送できなかったり、基地局運用装置３４０または１ｘＥＶ−ＤＯ制御器３２４が他の処理を行っている等の場合、ＦＡモード及び／またはＢＣＭＣＳ割当比率情報を含むシステムパラメータを正常に処理できない場合が発生する。
【００７６】
一方、ステップＳ７１６での判断の結果、設定された時間が終了していないと判断されれば、ステップＳ７１２が実行され、ＢＣＭＣＳ制御用プログラムは再度応答信号が受信されたか否かをチェックする。一方、ステップＳ７１６での判断の結果、設定された時間が終了したと判断されれば、ＢＣＭＣＳ制御用プログラムは、現在のカウント回数をチェックする（Ｓ７１８）。即ち、ＢＣＭＣＳ制御用プログラムには、最大カウント回数情報、各カウントステップでの最大設定時間情報、最大カウント内で応答信号の受信の有無等をチェックするためのアルゴリズムが格納されている。ここで、ＢＣＭＣＳ制御用プログラムは、最大カウント回数、各カウントステップでの最大設定時間などを変更できる機能を提供することもできる。
【００７７】
ＢＣＭＣＳ制御用プログラムは、ステップＳ７１８でチェックされたカウント回数が、あらかじめ設定された最大カウント回数なのかを判断する（Ｓ７２０）。ステップＳ７２０での判断の結果、カウント終了時点でないと判断されれば、ＢＣＭＣＳ制御用プログラムは、タイマーをリセット（Reset）し、カウント回数を一回増加させる。その後、ステップＳ７１２が実行され、ＢＣＭＣＳ制御用プログラムは、１ｘＥＶ−ＤＯ制御器３２４から応答信号が受信されたか否かをチェックする（Ｓ７１２）。一方、ステップＳ７２０での判断の結果、カウント終了時点であると判断されれば、ＢＣＭＣＳ制御用プログラムは、最後のエラーメッセージと、ＦＡモード及び／またはＢＣＭＣＳ割当比率の再入力画面とをモニターなどに出力する（Ｓ７２４）。したがって、最後のエラーメッセージを確認した基地局運用装置３４０の運用者等は、ＦＡモード及び／またはＢＣＭＣＳ割当比率情報を再入力してＢＣＭＣＳを效率よく運用できるのである。
【００７８】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものでなく、説明するためのものであり、このような実施形態によって本発明の技術思想の範囲が限定されるのではない。本発明の保護範囲は、請求範囲によって解されなければならず、それと同等な範囲内にある全ての技術思想は本発明の権利範囲に含まれることと解されるべきである。
【産業上の利用可能性】
【００７９】
上述したように、本発明によれば、１ｘＥＶ−ＤＯシステムでＢＣＭＣＳを提供する場合、既存の１ｘＥＶ−ＤＯシステムで使用されている特定の周波数資源を利用できるため、新たな周波数資源を増設することなく、新たな周波数資源の増設にかかる莫大な費用が低減できるという経済的な効果が得られる。
【００８０】
また、ＢＣＭＣＳのために利用する該当周波数資源を、時々刻々変わる通信環境に応じて、ＢＣＭＣＳ専用モードやＢＣＭＣＳと１ｘＥＶ−ＤＯとの混用モードで設定する機能を提供することにより、ネットワーク管理事業者は、弾力的なネットワーク運用を通じて１ｘＥＶ−ＤＯサービスやＢＣＭＣＳを效率よく提供することができる。
【図面の簡単な説明】
【００８１】
【図１】移動通信と放送サービスの融合による融合サービスを図式化した図である。
【図２】１ｘＥＶ−ＤＯ網でのＢＣＭＣＳのための標準化作業に関するワーキンググループ別進行状況を示す表である。
【図３】本発明の好ましい実施形態に係る１ｘＥＶ−ＤＯ  ＢＣＭＣＳシステムを簡略に示すブロック図である。
【図４】本発明の第１実施形態によってＦＡモードをＢＣＭＣＳ専用モードに指定した場合のメッセージ処理過程を示すフローチャートである。
【図５】本発明の第２実施形態によってＦＡモードをＢＣＭＣＳ専用モードに指定した場合のメッセージ処理の他の過程を示すフローチャートである。
【図６】本発明の第３実施形態によってＦＡモードをＢＣＭＣＳ混用モードに指定した場合のメッセージ処理過程を示すフローチャートである。
【図７】本発明の実施形態によってＦＡモード及び／またはＢＣＭＣＳ割当比率を指定する過程を示すフローチャートである。
【図１】
2007511129.tif 000003
【図２】
2007511129.tif 000004
【図３】
2007511129.tif 000005
【図４】
2007511129.tif 000006
【図５】
2007511129.tif 000007
【図６】
2007511129.tif 000008
【図７】
2007511129.tif 000009
【国際調査報告】
2007511129.tif 000010
2007511129.tif 000011